(57)【特許請求の範囲】
【請求項１】
取付枠に固定された支軸から放射方向に延出された駆動用レバーと、一端が装飾体に軸着され駆動用レバーにより回動される移動用レバーとからなる移動機構により、装飾体を移動させる遊技機の可動装飾装置であって、
該移動機構は、移動用レバーの他端に支点を設けて、この支点を取付枠に設けた水平溝にスライド可能に挿着したうえに、移動用レバーを駆動用レバーの２倍の長さとして、駆動用レバーの先端を移動用レバーの中央に軸着したスコットラッセル機構であり、
このスコットラッセル機構を左右対称に形成し、左右の駆動用レバーの支軸部分から互いに噛合する部分ギアを延出させた構成とし、
一方の駆動用レバーを支軸を中心として駆動させることにより、装飾体左右の均衡を維持しつつ厳正直線運動させることを特徴とする遊技機の可動装飾装置。
【請求項２】
駆動用レバーの支軸部分から動力伝達用レバーを延出し、この動力伝達用レバーをモータにより回動させることで駆動用レバーを回動させて移動機構を作動させるようにした請求項１に記載の遊技機の可動装飾装置。
【発明の詳細な説明】
【技術分野】
【０００１】
本発明は、遊技機の役物に用いられる可動装飾装置に関するものである。
【背景技術】
【０００２】
遊技領域の中央部に設けられた図柄表示装置の周辺で装飾的な演出を行うものとして、出願人の出願に係る特許文献１に開示されたものがある。このものは、図柄表示装置の上部に設けられた装飾体が、図柄表示装置の表示状態に合わせて表示画面の一部を覆うように上下動することにより、演出効果を高めるようにしたものである。しかしながら、このものにおいては、装飾体を直線的に上下動させるために、一対の縦型レールを上下方向に設置して装飾体の中程に設けた摺動部を挟むことにより装飾体の動きをガイドする必要があった。そのため、装飾体の外側に設けた摺動部が美観を損ね、装飾的演出効果を減退させてしまうという問題があった。
【特許文献１】特開２００７−３３０３５５号公報    （図１１）
【発明の開示】
【発明が解決しようとする課題】
【０００３】
本発明は、上記した従来の問題点に鑑み、装飾体の移動をガイドする摺動部を省略できる遊技機の可動装飾装置を提供することを課題とする。
【課題を解決するための手段】
【０００４】
上記の課題を解決するためになされた本発明に係る遊技機の可動装飾装置は、取付枠に固定された支軸から放射方向に延出された駆動用レバーと、一端が装飾体に軸着され駆動用レバーにより回動される移動用レバーとからなる移動機構により、装飾体を移動させる遊技機の可動装飾装置であって、
該移動機構は、移動用レバーの他端に支点を設けて、この支点を取付枠に設けた水平溝にスライド可能に挿着したうえに、移動用レバーを駆動用レバーの２倍の長さとして、駆動用レバーの先端を移動用レバーの中央に軸着したスコットラッセル機構であり、
このスコットラッセル機構を左右対称に形成し、左右の駆動用レバーの支軸部分から互いに噛合する部分ギアを延出させた構成とし、
一方の駆動用レバーを支軸を中心として駆動させることにより、装飾体左右の均衡を維持しつつ厳正直線運動させることを特徴とするものである。
【０００５】
【０００６】
また、駆動用レバーの支軸部分から動力伝達用レバーを延出し、この動力伝達用レバーをモータにより回動させることで駆動用レバーを回動させて移動機構を作動させることができる。
【発明の効果】
【０００７】
請求項１に係る発明は、スコットラッセル機構により装飾体を厳正直線運動させることができるので、従来のような移動用のガイドレールを必要としない。しかも、左右対称に配した二つのスコットラッセル機構により装飾体の二点を支えて厳正直線運動させることができるので、装飾体をふらつかせたり、傾かせたりすることがない。
【０００８】
【０００９】
請求項２に係る発明は、駆動用レバーをモータによって駆動させることによって、装飾体を移動させることができる。
【発明を実施するための最良の形態】
【００１０】
以下に、本発明の実施形態に付いて説明する。
図１〜３において、１は装飾用の装飾体、２は移動機構、３は取付枠である。この移動機構２は、駆動用部材４と移動用レバー５とを備えるスコットラッセル機構である。
【００１１】
始めに、図４を用いてスコットラッセル機構について説明する。図示のスコットラッセル機構は、４つの点Ａ、Ｂ、Ｃ、Ｐとからなる。ＡＢ＝ＢＣ＝ＢＰである。ここで、点Ａは固定され、点Ｃは水平方向に滑り運動する。点ＰはＡＰの軸線上を直線運動するが、ＡＢ＝ＢＣ＝ＢＰであるので、Ａ、Ｃ、Ｐは点Ｂを中心として直径ＣＰの円周上にあるので、角ＰＡＣは常に直角である。よって、点Ｐは点Ｃが水平移動することにより常に垂直方向に移動することとなる。以上がスコットラッセル機構の基本態様である。
【００１２】
図１において、装飾体１は左右対称の二つのスコットラッセル機構２Ａ、２Ｂにより移動される。図中左側のスコットラッセル機構２Ａにおいて、駆動用部材４は、取付枠３から突設された支軸Ａを中心に回動する駆動用レバー４１と、支軸Ａから駆動用レバー４１とは異なる２方向に延出する動力伝達用レバー４２と部分ギア４３とを有する。動力伝達用レバー４２の先端には、この動力伝達用レバー４２の先端を右方向に付勢するバネ４４が取り付けられている。動力伝達用レバー４２には長孔状の係合孔部４５が設けられている。モータＭの回転軸４６にはクランク部材４７が装着され、このクランク部材４７に設けたピン４８が係合孔部４５に挿入されることにより、モータＭの回転軸４６の回転を動力伝達用レバー４２に伝達することができる。
【００１３】
駆動用レバー４１は、移動用レバー５の中央に設けた支点Ｂに接続されている。移動用レバー５の一端には支点Ｐを介して装飾体１が回動自在に取り付けられている。移動用レバー５の他端には支点Ｃが設けられており、この支点Ｃは、取付枠３の上部左方に設けた水平のガイド溝３１に挿入されている。
以上の支軸Ａ及び支点Ｂ、Ｃ、Ｐは図４における点Ａ、Ｂ、Ｃ、Ｐに相当する。即ち、長さはＡＢ＝ＢＣ＝ＢＰである。
【００１４】
装飾体１の右側には、左側のスコットラッセル機構２Ａと左右対称にしたスコットラッセル機構２Ｂが配設されている。即ち、左側の部分ギア４３と噛合する部分ギア４３と、支軸Ａを中心に回動する駆動用レバー４１と、駆動用レバー４１の一端が接続される支点Ｂを有する移動用レバー５と、移動用レバー５の一端が取り付けられる支点Ｐと、水平溝３１に挿入された他端の支点Ｃとを備えている。ただし、左側のスコットラッセル機構２Ａと異なり、動力伝達用レバー４２は備わっていない。
【００１５】
以下の装飾体の移動状態について、図１、５、６により説明する。
図１においてはバネ４４が最も伸長されていて、装飾体１は最も降下された状態である。この状態からモータＭの回転軸４６が右回りに回転されると、クランク部材４７もともに回転される。これによって係合孔部４５に挿入されているピン４８が動力伝達用レバー４２を、図５に示すように、右方向に回動させる。すると、支軸Ａを中心に図中左側の駆動用レバー４１が右回りに回動されて支点Ｂは上昇される。支点Ｃは水平溝３１内を左方にスライドする結果、支点Ｐは上方に持ち上げられるので、装飾体１は垂直上方に持ち上げられることになる。このときバネ４４は、動力伝達用レバー４２を右方向に付勢しているため、装飾体１を重力に逆らって持ち上げるための手助けとなっている。
【００１６】
スコットラッセル機構が１つしかないと、装飾体１と移動用レバー５とが支点Ｐで回動自在に取り付けられている場合は、左右の均衡を保つことができずに装飾体１が支点Ｐを中心にふらついてしまう。また、装飾体１と移動用レバー５とが支点Ｐで固定されている場合は、装飾体１は支点Ｃを中心とした円弧を描いた軌跡で移動を行うため水平状態を保つことができない。装飾体１が円形状等で傾きが意匠として関係ない場合は問題がないが、本願発明のように意匠上、装飾体１の傾きが一定に維持されなければならない場合においてスコットラッセル機構が1つしかないことは問題がある。そこで、左右２つのスコットラッセル機構２Ａ，２Ｂを設けることで、動力伝達用レバー４２の回動は、二つの部分ギア４３を介して右側のスコットラッセル機構２Ｂに伝達される。右側の移動機構は左側のものと同じであるので、装飾体１の左右の均衡を保って装飾体１を上方に上昇させることができる。図６は装飾体１が最上方に持ち上げられた状態を示す図であって、遊技の通常の状態においては装飾体１はこの待機位置にある。そして、大当たり等の特別遊技状態となったときに、装飾体１は上下動されて遊技の興趣を盛り上げることができる。
【００１７】
なお、以上は装飾体が上下に昇降される場合について説明したが、本発明においては上記した機構を横向きとして移動体を左右の方向に移動させることができる。
【図面の簡単な説明】
【００１８】
【図１】装飾体が降下状態にある第１の実施形態の可動装飾装置を示す正面図である。
【図２】図１の可動装飾装置の平面図である。
【図３】図１の可動装飾装置の側面図である。
【図４】スコットラッセル機構の説明図である。
【図５】装飾体が上昇中である第１の実施形態の可動装飾装置の正面図である。
【図６】装飾体が上昇した第１の実施形態の可動装飾装置の正面図である。
【符号の説明】
【００１９】
１  装飾体、２  移動機構、３  取付枠、５  移動用レバー、３１  水平溝、４１  駆動用レバー、Ａ  支軸、Ｂ  支点、Ｃ  支点、Ｐ  支点
【図１】
0005228178.tif 000002
【図２】
0005228178.tif 000003
【図３】
0005228178.tif 000004
【図４】
0005228178.tif 000005
【図５】
0005228178.tif 000006
【図６】
0005228178.tif 000007